Podtech/llm-jp-corpus-v4-ja_patent huggingface dataset:
(57)【要約】【課題】着座時、特にバスや自家用車、航空機による移動時に仮眠を取ろうとする場合に不自然な姿勢によって安眠が不可能なうえ、同じ理由から肉体的な弊害を発生する恐れが大であった。【解決手段】課題を解決する為に空気によって膨張された柔軟性のある枕を、膝の上に設置し使用するものである。【選択図】図１
2017217436.tif 000002
【特許請求の範囲】
【請求項１】
着座時の仮眠を安楽にするための空気膨張式枕。
【請求項２】
当該枕の使用時に発生した車両事故などから使用者の特に頭部を保護し、頭部、胸部及び腹部への損傷を低減させる効果も併せ持つ空気膨張式枕。
【発明の詳細な説明】
【技術分野】
【０００１】本考案は着座時の仮眠用枕に関する。
【背景技術】
【０００２】着座時の仮眠用枕として、従来は頸部を支える形状の物あるいは顔面を下にした状態での使用が不可能な物のみであった。
【発明の開示】
【発明が解決しようとする課題】
【０００３】従来、着座時、特にバスや自家用車、航空機による移動時に仮眠を取ろうとする場合、側面に窓が有る場合は窓にもたれかかり、或いはひじ掛けにもたれかかるなどの仮眠姿勢を取らざるを得ず、同上他者に迷惑をかける事も多く、何よりも不自然な姿勢を強いられる事により、腰痛や肩こりなどの肉体的な弊害を生じる事が多く、頸部を支える枕を使用しても同様であり、安眠を得られる事は不可能であった。
また、膝の上で抱きかかえる形状の空気枕も外国では見受けられたが、顔面を下にして使用する事が出来ず、常に頸部を右、あるいは左に曲げた状態で使用する為、これも安眠を得る事は不可能であった。
【課題を解決するための手段】
【０００４】上記課題を解決するための手段として、着座時にひざ上に置き、空気によって充満された弾力性のあるＵ字型の枕により、顔面を下にしたうつ伏せ状態での仮眠を可能とし、両手の位置も定める事により、安定した仮眠姿勢を取る事を可能とする。【０００５】当該空気枕は収縮性のある柔軟なビニール、或いはゴムで作られており、表面は起毛された繊維で覆われている。特に顔面が接触する部分は通気性が高く、柔らかい繊維で覆われており、顔面を保護する。
【発明を実施するための形態】
【０００６】図−１は本考案の実施例である。
【考案の効果】
【０００７】当該枕を使用する事により、移動中の車両、航空機内で安眠が得られ、ストレスの蓄積やエコノミー症候群の低減に寄与する。
【０００８】当該枕の使用中に車両事故などが発生した場合、当該枕が使用者の頭部を保護し、簡易的なエアーバッグの様な効果により、事故による使用者の頭部への損傷を低減させうるとともに、胸部、腹部への衝撃を低減させる効果も期待できる。。
【図面の簡単な説明】
【０００８】
【図１】は、本出願の空気膨張式枕を後方斜め上から観た概略図であり、左側が身体側となる。上面のＵ字型切り込み部分に顔面を置き、使用する。
【図２】は、本出願の空気膨張式枕を前方斜め上から観た概略図である。
【符号の説明】
【０００９】［図１］の、▲１▼・・・本出願の空気膨張式枕の上面を示す。
［図１］の、▲２▼・・・本出願の空気膨張式枕の身体側（後面）を示す。
［図２］の、▲３▼・・・本出願の空気膨張式枕の全面に付けられた、両手を入れて安定                        させるためのポケットを示す。
【図１】
2017217436.tif 000003
【図２】
2017217436.tif 000004
(57)【要約】【課題】  本発明は加齢により動くことはできるのに足腰が弱り外出がままならない外に出て話し笑い日々暮らしが充実することを願うお助け手押し車を提供する。【解決手段】  本体の枠体に台車（６）に車輪（５）を設け、台車（６）に蓋付きの荷台箱（３）を設け、蓋付きの荷台箱（３）は、腰掛け兼用、三角部分はカバーとし、本体の枠体にハンドルの高さ（２）を設け、ハンドルの高さ（２）の手前に平らなハンドル（７）を設け、ハンドルは二段構えで二本付け、ハンドル（７）に丸身の舵取り棒（８）も設け、ハンドル（７）は、ハンドルの長さ、幅（１）が体のもたれかかれる寸法にしたことを特徴とするお助け手押し車。【選択図】図１
2017217440.tif 000002
【特許請求の範囲】
【請求項１】
本体の枠体に台車（６）に車輪（５）を設け、台車（６）に蓋付きの荷台箱（３）を設け、蓋付きの荷台箱（３）は、腰掛け兼用、三角部分はカバーとし、本体の枠体にハンドルの高さ（２）を設け、ハンドルの高さ（２）の手前に平らなハンドル（７）を設け、ハンドルは二段構えで二本付け、ハンドル（７）に丸身の舵取り棒（８）も設け、ハンドル（７）は、ハンドルの長さ、幅（１）が体のもたれかかれる寸法にしたことを特徴とするお助け手押し車。
【発明の詳細な説明】
【技術の分野】
【０００１】  本発明は加齢により動くことはできるのに、足腰が弱り外出がままならない。
そこで、外に出て話し笑い日々暮らしが充実することを願うお助け手押し車に関するものである。
【背景技術】
【０００２】  従来、手、腕のみで握るハンドルは、腕が疲れ痛くなるために体に負担が掛かり、自身の体重で歩行が困難である。
曲がっている腰で体を支える腕の力、車を押す力、上肢への負担が多大である。
自動車に積むことができる折りたたみ式は便利だが、軽く出来ているため、上体を預けるのには不安を感じる。
男女共に使用できる手押し車である。
【先行技術文献】
【特許文献】
【０００３】
【特許文献１】  特開２００７−０４５３７７号公報
【発明の概要】
【発明が解決しようとする課題】
【０００４】  老齢になると動作に無理ができなくなり、いままでできた力のいる動きは余りできなくなる。
足腰の筋力の衰えを助けるため、動く歩くことにより復活をする。
自力で生きることが人としての本来の姿であり生きる喜びとなる。
シルバーカー、ベビーカー、乳母車などの並ぶ店の店主の言葉を引用すれば、昔からいろいろでているが少なくなりつつある乳母車は安全性抜群で、これに勝る物はなく、乗せて良し、もたれて良し体を支えてくれる車である。
それに勝るお助け手押し車の思考作成が必要と考える。
本発明は以上の問題点を解決するためになされたものである。
【課題を解決するための手段】
【０００５】  本体の枠体に台車（６）に車輪（５）を設け、台車（６）に蓋付きの荷台箱（３）を設け、蓋付きの荷台箱（３）は、腰掛け兼用、三角部分はカバーとし、本体の枠体にハンドルの高さ（２）を設け、ハンドルの高さ（２）の手前に平らなハンドル（７）を設け、ハンドル（７）は二段構えの一本で、ハンドル（７）に丸身の舵取り棒（８）も設け、ハンドル（７）は、ハンドルの長さ、幅（１）が体のもたれかかれる寸法にしたことを特徴とするお助け手押し車。
【発明の効果】
【０００６】  曲がった腰の負担を押し車が支えて助ける。
上肢と上体を使って舵取り、押す力で外出が可能となる。
横に大きな車輪を使うことにより、横転を防ぐので安全性が高くなる。
荷台箱に腰掛けるときは後輪に輪止めを使う。
輪止めは荷台箱の中に常備する。
蓋付きの荷台箱は腰掛け兼用であるため、堅牢な材質を使う。
本発明は老齢の方、体の不自由な人にも使用できる。
以上の様な効果がある、お助け手押し車である。
【図面の簡単な説明】
【０００７】
【図１】  本発明の斜視図である。
【図２】  本発明の上方よりの斜視図である。
【図３】  本発明の蓋付きの荷台箱の斜視図である。
【図４】  本発明の台車と車輪の斜視図である。
【図５】  本発明の後輪の輪止めの斜視図である。
【発明を実施するための形態】
【０００８】  以下、本発明の実施の形態を説明する。
ハンドルの長さ、幅（１）は、ハンドルの長さ、幅が体のもたれかかれる寸法にする。
ハンドルの高さ（２）は、ハンドルは腰を立てて歩ける高さにする。
蓋付きの荷台箱（３）は、蓋付きの荷台箱、腰掛け兼用、三角部分はカバーとする。
輪止め（４）は、腰掛けるときに輪止めを使う。
車輪（５）は、横転を防ぎ安定性を高めるために大きくする。
台車（６）は、台車の手前カーブは足が当たらない様に、また、台車の前部が跳ね上がらない様にハンドルの角度、車輪までの流れが大切である。
材質は、堅牢な物を使う。
平らなハンドル（７）は、ハンドルは二段構え、上肢を乗せ易く表面が平らなハンドルを一本、ハンドルから肘が横に落ちるのを防ぐために長さ、幅をゆとりあるものにする。
丸身の舵取り棒（８）は、二本目のハンドルで一本目の前に付け、ハンドルの中央に立っている握り易い丸身の舵取り棒を握り押したり、横棒を持って舵を取ったり自由に握り操ることができる。
本体の枠体に台車（６）に車輪（５）を設け、台車（６）に蓋付きの荷台箱（３）を設ける。
蓋付きの荷台箱（３）は、腰掛け兼用、三角部分はカバーと
本体の枠体にハンドルの高さ（２）を設ける。
ハンドルは二段構え、ハンドル（７）に丸身の舵取り棒（８）も設ける。
ハンドル（７）は、ハンドルの長さ、幅（１）が体のもたれかかれる寸法にしたことを特徴とするお助け手押し車。
本発明は以上の様な構造のお助け手押し車である。
足腰の力が弱くなった人には、力の必要な操作、細かい装置が難しく辛くなってくる。
本発明を使用するときは、手腕肘の上肢を使い、ハンドル（１）ハンドル（２）で車を操ることができる。
力強く支えてくれるお助け手押し車を使えば遠出は無理でも自分の足で外出ができる。
歩けることで元気がでる力になってくれる。
お助け手押し車を提供する。
自身の体重で足の運びが辛いのを、ハンドルに体を預けることにより手押し車に助けられ足腰の負担が軽くなるハンドル（２）で腰の曲がるのを助けて立って歩く。
曲がる体を支えることができる。
荷台箱（３）に腰掛ける時は後輪に（４）の輪止めを使う。
輪止めは荷台箱の中に常備し、箱は腰掛けるので材質は堅牢な物を使用する。
車輪（５）は横転を防ぐ。
台車（６）で前部の跳ね上がりを防ぐため、車輪がしっかりと地面に着地して回る平らなハンドル（７）と丸身の舵取り棒（８）の操作に台車、車輪等の力を加えて安全第一に足腰の弱った人の頼りになる。
歩くことは人間の最も重要な条件であり、健康の源である。
本発明は老齢の人のみではなく、体の不自由な人にも使用できる。
安全を提供できる安全なお助け手押し車である。
【符号の説明】
【０００９】１  ハンドルの長さ、幅
２  ハンドルの高さ
３  蓋付きの荷台箱
４  輪止め
５  車輪
６  台車
７  平らなハンドル
８  丸身の舵取り棒
【図１】
2017217440.tif 000003
【図２】
2017217440.tif 000004
【図３】
2017217440.tif 000005
【図４】
2017217440.tif 000006
【図５】
2017217440.tif 000007
(57)【要約】【課題】  本発明は全体を飾りとする、腕輪、指輪を構成する腕輪、指輪のアクセサリーリングを提供する。【解決手段】  リングを湾曲したハートの形状にして、その上端部と下端部の連結部に互い違いの段差をつけ、はめ込められるようにした輪を特徴とする腕輪、指輪のアクセサリーリング。【選択図】図４
2017217431.tif 000002
【特許請求の範囲】
【請求項１】
リングを湾曲したハートの形状にして、その上端部と下端部の連結部に互い違いの段差をつけ、はめ込められるようにした輪を特徴とする腕輪、指輪のアクセサリーリング。
【発明の詳細な説明】
【技術分野】
【０００１】  本発明は、腕輪、指輪を構成する輪をハートの形状にした腕輪、指輪のアクセサリーリングに関するものである。
【背景技術】
【０００２】  従来、腕輪・指輪は帯状の輪であった。
【先行技術文献】
【０００３】
【特許文献１】  実用新案登録第３０９７２７８号公報
【発明の概要】
【発明が解決しようとする課題】
【０００４】  そのため、次のような問題点があった。
ただの帯状の輪で構成されているか、輪にワンポイントとなるものだけをつけて構成されていて、全体が飾りつけされていないものであった。
本発明は、これらの問題点を解決するためになされたものである。
【課題を解決するための手段】
【０００５】  リングを湾曲したハートの形状にして、その上端部と下端部の連結部に互い違いの段差をつけ、はめ込められるようにしたリングを複数個組み合わせる。
以上を特徴とする腕輪、指輪のアクセサリーリングである。
【発明の効果】
【０００６】  腕輪・指輪が全体として飾りつけされる。
【図面の簡単な説明】
【０００７】
【図１】本発明の正面図である。
【図２】本発明の側面図である。
【図３】本発明の平面図である。
【図４】本発明から構成される腕輪・指輪の斜視図である。
【図５】本発明の使用状態を示した説明図である。
【発明を実施するための形態】
【０００８】  以下、本発明の実施の形態について説明する。
リングを湾曲したハートの形状の輪にして、上端の連結部（１）と下端の連結部（２）を互い違いに設け、複数個組み合わせる。
本発明は以上のような構成である。
これを使用するときは、上端の連結部（１）と同形の輪の下端の連結部（２）を互い違いにはめ込む。
【符号の説明】
【０００９】    １  互い違いにした上端の連結部
２  互い違いにした下端の連結部
【図１】
2017217431.tif 000003
【図２】
2017217431.tif 000004
【図３】
2017217431.tif 000005
【図４】
2017217431.tif 000006
【図５】
2017217431.tif 000007
(57)【要約】【課題】  首輪の正面全体が飾りつけされていないものであり、輪の連結部がからまり、ふくらんでしまうものであった。  本発明は見栄えの良い首輪を構成する首輪のアクセサリーリングを提供する。【解決手段】  ハートの形状にして、上下の連結部に互い違いの段差をつけ、はめ込められるようにした輪を特徴とする首輪のアクセサリーリング。【選択図】図１
2017217430.tif 000002
【特許請求の範囲】
【請求項１】
ハートの形状にして、上下の連結部に互い違いの段差をつけ、はめ込められるようにした輪を特徴とする首輪のアクセサリーリング。
【発明の詳細な説明】
【技術分野】
【０００１】  本発明は、首輪を構成する輪をハートの形状にした首輪のアクセサリーリングに関するものである。
【背景技術】
【０００２】  従来、首輪は中心だけにアクセサリーがついているものがあった。
また、輪の連結部分の収まりがつかないものがあった。
【先行技術文献】
【０００３】
【特許文献１】  特開２０１３−７８５１０号公報
【発明の概要】
【発明が解決しようとする課題】
【０００４】  そのため、次のような問題点があった。
首輪の正面全体が飾りつけされていないものであり、輪の連結部がからまり、ふくらんでしまうものであった。
本発明は、これらの問題点を解決するためになされたものである。
【課題を解決するための手段】
【０００５】  ハートの形状にして、上下の連結部に互い違いの段差をつけ、はめ込められるようにしたリングを複数個組み合わせる。
以上を特徴とする首輪のアクセサリーリングである。
【発明の効果】
【０００６】  正面全体も飾りつけされ、連結部がからまず、ふくらまなくなる。
【図面の簡単な説明】
【０００７】
【図１】本発明の斜視図である。
【図２】本発明の正面図である。
【図３】本発明の側面図である。
【図４】本発明の使用状態を示した説明図である。
【発明を実施するための形態】
【０００８】  以下、本発明の実施の形態について説明する。
全体をハートの形状の輪にして、上の連結部（１）と下の連結部（２）を互い違いに設け、複数個組み合わせる。
本発明は以上のような構成である。
これを使用するときは、上の連結部（１）と同形の輪の下の連結部（２）を互い違いにはめ込む。
【符号の説明】
【０００９】    １  互い違いにした上の連結部
２  互い違いにした下の連結部
【図１】
2017217430.tif 000003
【図２】
2017217430.tif 000004
【図３】
2017217430.tif 000005
【図４】
2017217430.tif 000006
(57)【要約】【課題】非侵襲的脳電気刺激に用いるヘッドセットの形状は、電極の位置が変更不能であり、特に簡易なものでは、電極を圧着する頭部の範囲が限定されてしまう。【解決手段】ヘッドセット本体１上をスライドする着脱可能な可動式の電極を設ける。電極は例えば本体１上をスライドする着脱可能な電極用スポンジ保持器２に保持されたスポンジである。本体１上をスライドする電極用スポンジ保持器２のおかげで、頭部に圧着する電極の設置範囲が広がり、位置変更しやすくなる。【選択図】図１
2017217428.tif 000002
【特許請求の範囲】
【請求項１】
着脱可能の位置変更可能な電極を設けたことを特徴とするヘッドセット。
【請求項２】
上記電極は着脱可能なスライド式の電極用スポンジ保持器で保持するスポンジであることを特徴とする請求項１記載のヘッドセット。
【発明の詳細な説明】
【技術分野】
【０００１】  この発明は、非侵襲的脳電気刺激用ヘッドセットの形状に関する。
【背景技術】
【０００２】  従来の非侵襲的脳電気刺激用ヘッドセットの形状は図２に示すように、剛性または軟質のヘッドセットに電極が固定されたものである。
【先行技術文献】
【特許文献】
【０００３】
【特許文献１】特表２００９−５３００６４号公報
【非特許文献】
【０００４】
【非特許文献１】ｗｏｒｌｄ．ｆｏｃ．ｕｓ／ｇａｍｅｒ
【発明の概要】
【発明が解決しようとする課題】
【０００５】  しかしながら、以上の技術によれば、ヘッドセットに固定された電極では、頭部に設置する電極位置の自由な変更が困難であり、使いづらかった。
そこで、この発明は、電極位置を変更可能で、なおかつ低コストで作成可能なヘッドセットを提供することを課題とする。
【課題を解決するための手段】
【０００６】  以上の課題を解決するために、第一発明は、位置変更可能な電極を有することを特徴とするヘッドセットである。
また、第二発明は、ヘッドセットの基底部上をスライドする、位置変更可能な電極を設け、このスライド式の電極が、必要に応じて複数個着脱可能なことを特徴とするヘッドセットである。
【発明の効果】
【０００７】  第一発明、または第二発明によれば、ヘッドセット上の電極の位置が自由に変更可能であるため、頭部への電極位置の設定および再設定がしやすい。
【図面の簡単な説明】
【０００８】
【図１】この発明の一実施形態を示す斜視図である。
【図２】従来技術を示す斜視図である。
【発明を実施するための形態】
【０００９】  この発明の一実施形態を、図１に示す。
ヘッドセットの本体１はプラスチックまたは金属製でありカチューシャ形状である、この本体１に沿ってスライドする軟質樹脂素材の電極用スポンジ保持器２が着脱可能となっている。電極用スポンジ保持器２は電極ケーブルと接続可能である。電極用スポンジ保持器２は必要に応じて本体１に複数取り付け可能である。
【００１０】「実施形態の効果」
この実施形態によれば、本体１が様々な角度で頭部に取り付けできるため、また、本体１をスライドする電極用スポンジ保持器２の働きで、頭部の様々な位置に電極を圧着できる。したがって、電極の位置設定の自由度が高い。また、本体１がスリムな形状であるため、頭部に複数個取り付けることが可能である。
「他の実施形態」
図１の実施形態では、本体１はカチューシャ状の形態をしていたが、電極用スポンジ保持器２がスライド可能であれば、より複雑な形状をしていてもよい。
【符号の説明】
【００１１】１  ヘッドセット本体  ２  電極用スポンジ保持器
【図１】
2017217428.tif 000003
【図２】
2017217428.tif 000004
(57)【要約】【課題】細かいものを測る時、常に身に付けることができ、すぐに使いやすいように、建築用シャープペンシルの軸に伸縮及び取外せる定規を設けた建築用シャープペンシルを提供する。【解決手段】建築用シャープペンシルの軸（１）及び筒（２）に定規を設け、裏面に押しボタン（３）を付ける事により、伸縮機能（図２）及び取外し可能（図３）にする。よって、書ける、測れる、伸びる、外せるを特徴とする。【選択図】図２
2017217898.tif 000002
【特許請求の範囲】
【請求項１】
建築用シャープペンシルに、伸縮及び取外せる定規を設けたことを特徴とする建築用シャープペンシル。
【発明の詳細な説明】
【技術分野】
【０００１】本発明は、建築用シャープペンシルに伸縮及び取外せる定規がついたスケール付シャープペンシルに関するものである。
【背景技術】
【０００２】従来の建築用シャープペンシルと定規は別々になっていた。
【先行技術文献】
【特許文献】
【０００３】
【特許文献１】
【発明の概要】
【発明が解決しようとする課題】
【０００４】建築用シャープペンシルは一般のシャープペンシルに比べ２ｍｍ芯と太くなっており建設現場作業に用いられることが多い。
従来、ネジや隙間、段差などの寸法を測る際、巻きスケールや尺金（Ｌ型定規など）を用意しなくてはならなかった。
巻きスケールの先端には金具がついている為、細かな寸法を測る際、尺金（Ｌ型定規など）を使用します。
以上に述べた、建築用シャープペンシル及び定規での問題点は、巻スケールや尺金を常に身に着けておく必要がある事、巻きスケールの金具部分により正確な寸法を測ることが難しくなる。
本発明は、以上のような欠点をなくすためになされたものである。
【課題を解決するための手段】
【０００５】建築用シャープペンシルの軸（１）及び筒（２）に定規を設け、裏面に押しボタン（３）を付ける事により、伸縮機能（図２）及び取外し可能（図３）にする。
本発明は、以上の構成よりなるスケール付きシャープペンシルである。
【発明の効果】
【０００６】建築用シャープペンシルと伸縮及び取外せる定規が一体になっているので、常に身に着けられ、狭い場所や細かな寸法をシャープペン一本で簡単に測る事が出来る。
【図面の簡単な説明】
【０００７】
【図１】建築用シャープペンシルと取外せる定規の一体型。
【図２】伸縮図
【図３】取外し図
【発明を実施するための形態】
【０００８】以下、本発明を実施するための形態について説明する。
シャープペンの軸（１）の表面に定規、裏面に押しボタン（３）を設ける。（図３）
筒（２）に引っ掛け穴（４），（５）を作り、シャープペンの軸（１）に筒（２）を差しこむ。（図１）
押しボタン（３）を押し、筒（２）を引き伸ばす事により、（３）と（５）が固定され定規が長くなる。（図２）
穴（５）と重なる押しボタン（３）を押す事により、筒（２）を取外すことができる。（図３）
これを使用するときは、下記の特徴を捉え使用する。
・通常の建築用シャープペンシルとして書ける。
・定規として測れる。
・１０ｃｍ以上を測る場合伸びる。
・伸びることにより、上部が平らになり数ミリ単位も測れる。
・定規として測りながら書けるよう、取外せる。
必要に応じてさまざまな使用方法がある。
【符号の説明】
【０００９】１  建築用シャープペンシルの軸
２  筒
３  押しボタン
４  引っ掛け穴
５  引っ掛け穴
【図１】
2017217898.tif 000003
【図２】
2017217898.tif 000004
【図３】
2017217898.tif 000005
(57)【要約】【課題】記帳時に持ちやすく記帳しやすい、又、商談などで対面相手から記帳面が見えにくい手帳及びシステム手帳の表紙及び記入用紙を提供する。【解決手段】手帳及びシステム手帳を横長上下開きで使用できるように、表紙及び記入用紙を横長上下開き仕様にする。手帳及びシステム手帳を横長上下開きで使用すると、記帳などで開いたときに、手帳は上下に折れて左右には折れないので、持ちやすく記帳しやすい、又、商談などで対面相手に記帳内容を見られたくないときは、表表紙を立てるようにして持つと、表表紙が対面相手の視線を遮るので、対面相手から記帳面が見えにくい。【選択図】図１
2017217900.tif 000002
【特許請求の範囲】
【請求項１】
横長上下開きで使用する手帳及びシステム手帳の表紙及び記入用紙であって、紙面が横長上下開き仕様であることを特徴とする、手帳及びシステム手帳の表紙及び記入用紙。
【発明の詳細な説明】
【技術分野】
【０００１】  本発明は、横長上下開きで使用する、手帳及びシステム手帳の表紙及び記入用紙に関する。
【背景技術】
【０００２】  従来の手帳及びシステム手帳のほとんどは縦長左右開きで使用するため、記帳などで開いたときに、手帳は左右に折れるので持ちにくく記帳しにくい、又、商談などで対面相手から記帳面が見えやすいものであった。【０００３】  特許文献１（特開２００９−１９０３５８）の記入用紙は、縦横兼用仕様と、縦長左右開き仕様で構成されているが、本発明の記入用紙は横長上下開き仕様で構成される。【０００４】  特許文献２（特開は２００２−１９３４９）の記入用紙は、見積、納品、請求、領収書であるが、本発明は、見積、納品、請求、領収書を含まない。
【先行技術文献】
【特許文献】
【０００５】
【特許文献１】特開２００９−１９０３５８
【特許文献２】特開２００２−１９３４９
【特許文献３】特開２０１３−２５２７０３
【発明の概要】
【発明が解決しようとする課題】
【０００６】  本発明は、前記した課題を解決するようにしたもので、記帳時に持ちやすく記帳しやすい、又、商談などで対面相手から記帳面が見えにくい手帳及びシステム手帳の表紙及び記入用紙を提供する。
【課題を解決するための手段】
【０００７】  手帳及びシステム手帳を横長上下開きで使用できるように、表紙及び記入用紙を横長上下開き仕様にする。
【発明の効果】
【０００８】  手帳及びシステム手帳を横長上下開きで使用すると、記帳などで開いたときに、手帳は上下に折れて左右には折れないので、持ちやすく記帳しやすい、又、商談などで対面相手に記帳内容を見られたくないときは、表表紙を立てるようにして持つと、表表紙が対面相手の視線を遮るので、対面相手から記帳面が見えにくい。
【図面の簡単な説明】
【０００９】
【図１】横長上下開きで使用する手帳の表紙及び記入用紙の仕様例
【図２】横長上下開きで使用するシステム手帳の記入用紙の仕様例
【発明を実施するための形態】
【００１０】  本発明は、横長上下開きで使用する手帳およびシステム手帳の表紙及び記入用紙であるので、紙面は横長上下開き仕様にする。横長上下開き仕様の記入用紙には、白紙や方眼紙等の文字が無い用紙も含まれる。
【実施例】
【００１１】  図１は横長上下開きで使用する手帳の表紙及び記入用紙の仕様例である。Ｔ１は手帳の記入用紙で、紙面は横長上下開き仕様である。Ｔ２は手帳の綴じ部である。Ｔ３は手帳の表紙で、紙面は横長上下開き仕様である。【００１２】  図２は横長上下開きで使用するシステム手帳の記入用紙の仕様例である。Ｓ１はシステム手帳の記入用紙で、紙面は横長上下開き仕様である。Ｓ２はシステム手帳の記入用紙の綴じ穴である。
【産業上の利用可能性】
【００１３】  横長上下開きで使用する手帳およびシステム手帳は、記帳などで開いた時に、手帳は上下に折れて左右には折れないので、持ちやすく記帳しやすい、又、商談などで対面相手に記帳内容を見られたくない時は、表表紙を立てるようにして持つと、表表紙が対面相手の視線を遮るので対面相手から記帳面が見えにくい。
【符号の説明】
【００１４】Ｔ１  手帳の記入用紙
Ｔ２  手帳の綴じ部
Ｔ３  手帳の表紙
Ｓ１  システム手帳の記入用紙
Ｓ２  システム手帳の記入用紙の綴じ穴
【図１】
2017217900.tif 000003
【図２】
2017217900.tif 000004
(57)【要約】【課題】天井裏や壁の中の隙間に通線工事するには、狭くて暗くて手が届かないので露出配線する事しか出来なかったが、通線を目視可能とすると離れた所から線をフックで引っかけると配線できる。【解決手段】天井の線を通す穴に、先端にＬＥＤライトの付いたパイプに線をループ状に貫通させて固定すれば反対側の作業者が差し出す竿の先端フックで引っかける目標にする。【選択図】図１
2017163815.tif 000002
【特許請求の範囲】
【請求項１】
通線用のパイプの先端側面に、通線作業の目標となるライトを付けた通線道具。
【請求項２】
請求項１のパイプを、天井裏などに、貫通させて使用する時、任意の位置で固定する機構。
【発明の詳細な説明】
【技術分野】
【０００１】  本発明は、天井裏や壁の隙間に通線工事の際、暗闇で通線ガイドパイプ位置が、光って通線位置を示すので、先端にフックの付いた長い棒で引っ掛けやすくする工具です。
【背景技術】
【０００２】  壁の中の隙間や、天井裏や、縁の下の配線工事をするには、狭いので実際に作業者が入れないし暗闇なので通線の工事が難しい問題があった。【０００３】  しかも、別の作業者が通線入口を懐中電灯で穴位置近傍を照らしながら通線を落下しないように、持ちながらでないと通線作業が出来ないという欠点があった。【０００４】  この改善策として、暗くて離れた所からでも通線位置が目視できるように天井を貫通しているパイプ先端側面のライトが光る事で、目視出来るのでその光の上を探ると線を引っかけられる。
【特許文献１】実開平０６−０５４３３７公報が有るが位置が光るだけで通線しながら光ら無いので使用出来ない。
【発明の開示】
【発明が解決しようとする課題】
【０００５】  解決しようとする問題点は、天井裏の暗闇で、離れた所から位置と通線が目視確認できない点である。
【課題を解決するための手段】
【０００６】  本発明は、天井裏に任意の挿入高さで固定された通線ガイドパイプの先端側面が光って通線位置が離れた所から目視出来る事が最も主要な特徴とする。
【発明の効果】
【０００７】  本発明の通線ガイド工具は、天井穴に任意の位置で固定出来るので、挿入して固定すれば離れられるので一人で通線作業出来るという利点がある。
【発明を実施するための最良の形態】
【０００８】  通線ガイドの為の金属パイプの先端側面にＬＥＤライトを配置して、その外側に透明樹脂パイプで保護し、挿入長さ自在に天井に固定するレバーとカム機構が配置されてその下側に電池ケースとスイッチが配置されている形を実現した。
【実施例１】
【００９】  図１は、本発明工具の全体図で、固定機構のレバーを見せる為の断面図であって、Ａは解除状態を示しＢは固定レバーが天井の通線穴の中で開いて落下されずに固定された状態を示して、１〜１１は、図２と同様である。【００１０】  固定機構は、４の枠の中の３を支点に５の天井固定レバーが回動し６を支点に２のパイプ固定レバーと固定解除レバーと回動されており、５と２はばねにより６を中心に開く方向に加勢されており、その力に逆らって固定解除レバーで６の支点を、ガイドパイプより引き離すと３の支点を中心に動きが反転し、天井固定レバーの先端がガイドパイプに密着する。【００１１】  密着すればガイドパイプの直径とほぼ同じ大きさの天井穴に挿入する事が出来る、固定解除レバーのツッパリを外すとバネが広がり２のパイプ固定レバーと５の天井固定レバーが、穴の中で広がり通線ガイドパイプの落下を防止する【００１２】  図２は、本発明の工具を使用して、天井裏の配線作業のようすを示した図です。
ランプの電気説明は省略する。
【産業上の利用可能性】
【００１３】本考案の工具は、天井裏の配線だけでなく、壁の隙間や床下配線や、マンホールとマンホールの間の配線にも適用できる。
【図面の簡単な説明】
【００１４】
【図１】本考案の工具の全体図ですが固定レバーが露出させるための断面図でありＡは、固定解除時を表し、Ｂは、固定状態を表す実施方法を示した説明図である。（実施例１）
【図２】配線工事実施方法を示した説明図である。（実施例２）
【符号の説明】
【００１５】１  通線パイプ
２  パイプ固定レバー
３  天井固定レバー支持支点
４  固定枠
５  天井固定レバー
６  固定解除レバー
７  ループ状の通線
８  ＬＥＤライト
９  通線引っかけ竿
１０  固定機構
１１  電池ケース
【図１】
2017163815.tif 000003
【図２】
2017163815.tif 000004
(57)【要約】【課題】  動物の手足に排泄物が付着して床などを汚してしまうことのない愛玩動物用トイレを提供する。【解決手段】  動物用の通路が形成された筐体の前記通路の途中に設けられ、動物が方向転換しない幅に形成されたトイレ部（１０）と、前記通路の一方に形成された出口又は入口（５，１３）と、前記通路の他方に形成された入口又は出口（１３，５）とを備え、前記入口から入った動物が前記トイレで向きを変えることなく進んで前記出口（５，１３）から退出するようにした愛玩動物用トイレとしてある。【選択図】図１
2017163961.tif 000002
【特許請求の範囲】
【請求項１】
動物用の通路が形成された筐体の前記通路の途中に設けられ、動物が方向転換しない幅に形成されたトイレ部（１０）と、前記通路の一方に形成された出口又は入口（５，１３）と、前記通路の他方に形成された入口又は出口（１３，５）とを備え、前記入口から入った動物が前記トイレで向きを変えることなく進んで前記出口（５，１３）から退出することを特徴とする愛玩動物用トイレ。
【請求項２】
前記通路の両端に、前記動物を招きよせて進む方向を決定する進行方向決定手段を設け、排せつの終わった前記動物を前記出口まで誘導することを特徴とする請求項１に記載の愛玩動物用トイレ。
【請求項３】
前記進行方向決定手段が、光、音又は動く物若しくはこれらの組み合わせであることを特徴とする請求項２に記載の愛玩動物用トイレ。
【請求項４】
前記出口及び入口に感知センサーを設け、前記動物が前記入口に近づいたときに、前記出口側の前記進行方向決定手段が作動するようにしたことを特徴とする請求項２又は３に記載の愛玩動物用トイレ。
【請求項５】
前記トイレ部の両側に立設された側壁に、排せつ用のシートを交換自在に設けたことを特徴とする請求項１〜４のいずれかに記載の愛玩動物用トイレ。
【請求項６】
前記筐体に、排せつ用シートその他の備品又は小物を収容できる収容部を設けたことを特徴とする請求項１〜５のいずれかに記載の愛玩動物用トイレ。
【発明の詳細な説明】
【技術分野】
【０００１】  本発明は、犬や猫などの愛玩動物のためのトイレに関する。
【背景技術】
【０００２】  この種のトイレとしては、特許文献１，２に記載されているようなものが知られている。これら従来のトイレは、プラスチックの専用トイレに吸水性の高い専用の排泄用シートを敷いて使用するものである。
【先行技術文献】
【特許文献】
【０００３】
【特許文献１】  特開２００６−２８８３２８号公報
【特許文献２】  実用新案登録第３０３２５２７号公報
【発明の開示】
【発明が解決しようとする課題】
【０００４】  しかし、これら従来のトイレは筐体で囲まれていないため、排泄物が枠からはみ出してしまったり、フリースペースなので排泄物と接して動物の手足が汚れてしまうことがある。また、愛玩動物用で入口が一か所の周囲を柵で囲まれたゲージを愛玩動物用トイレに使用することもあり、柵で周囲が囲まれていることから排泄物が枠から出てしまうということはないものの、入口が一か所であるため愛玩動物が筐体の中で方向転換をして退出するときに、動物の手足に排泄物が付着し、床などを汚してしまうという問題がある。
【課題を解決するための手段】
【０００５】  上記課題を解決するために、本発明のトイレは、動物用の通路が形成された筐体の前記通路の途中に設けられ、動物が方向転換しない幅に形成されたトイレ部（１０）と、前記通路の一方に形成された出口又は入口（５，１３）と、前記通路の他方に形成された入口又は出口（１３，５）とを備え、前記入口から入った動物が前記トイレで向きを変えることなく進んで前記出口（５，１３）から退出するようにした愛玩動物用トイレとしてある。
前記通路の両端に、前記動物を招きよせて進む方向を決定する進行方向決定手段を設け、排せつの終わった前記動物を前記出口まで誘導するようにしてもよく前記進行方向決定手段が、光、音又は動く物若しくはこれらの組み合わせであってもよい。【０００６】  前記出口及び入口に感知センサーを設け、前記動物が前記入口に近づいたときに、前記出口側の前記進行方向決定手段が作動するようにしてもよい。
また、前記トイレ部の両側に立設された側壁に、排せつ用のシートを交換自在に設けてもよい。
前記筐体に、排せつ用シートその他の備品又は小物を収容できる収容部を設けてもよい。
【発明の効果】
【０００７】  本発明によれば、愛玩動物が筐体の中で方向を転換することなく、排泄を行なって出口に向かうので、動物の手足に排泄物が付着することがなくなり、床などを汚してしまうこともなくなる。
【発明を実施するための最良の形態】
【０００８】  以下、本発明の好適な実施形態を、図面を参照しながら詳細に説明する。
図１は、本発明の一実施形態にかかるトイレの構成を説明する概略図である。
筐体内のトイレ部１０の両側に壁１，７を設けて排泄物がはみ出すことを防いでいる。壁１，７の幅はこのトイレを使用する動物が反転しにくい寸法である。
壁１，７で形成される通路の両側を出入り口（５，１３）とする。【０００９】  入口（例えば５）から入った動物が、トイレ部１０で方向転換しないで出口（同１３）から退出することで、排泄物との接触を避けることができる。
感知センサー２．１２の付照明３，９を出入り口に設置することで、暗闇でも動物がトイレに近づいたときに点灯して、トイレ部１０の位置を把握しやすい。【００１０】  また、入口（例えば５）から動物が入ったときに出口（同１３）の照明９が点灯するようにすることで、トイレ部１０で排泄を終えた動物が明るく照らされている出口１３から自然の流れで退出できる。
出口（５又は１３）側の照明（３又は９）を点滅させることで、この効果の向上が期待できる。照明３，９を使った光に限らず、動物の好む音や声、おもちゃなどで気を惹くようにして、出口（５又は１３）側に誘導させるようにしてもよい。【００１１】  排せつ用シートその他の備品又は小物を収容できる収容ボックス４，１１を設けると、便利である。
動物が雄犬のような場合、後ろ足を上げて排泄することもあるため、壁１，７に排泄用吸水性の高いシートを引っかけられる金具６，８を取り付けることで、汚れを防止できる。
【産業上の利用可能性】
【００１２】  本発明は、犬や猫などの愛玩動物用のトイレとして広く適用が可能である。
【図面の簡単な説明】
【００１３】
【図１】  本発明の一実施形態にかかるトイレの構成を説明する概略図である。
【符号の説明】
【００１４】１，７        壁
２，１２      感知センサー
３，９        照明
４，１１      収納ボックス
５，１３      出入り口（出口又は入口）
６，８        吸水シートを留める金具
１０          吸水シート
【図１】
2017163961.tif 000003
(57)【要約】      （修正有）【課題】タコベイトが持つ疑似餌としての性能を保ちつつ、主に遊動式鯛ラバのフック部へのタコベイトの装着作業を簡単にするための補助部品の提供。【解決手段】タコベイトヘッド部にフック部を装着する際に専用の取り付け用道具の使用を必要とせず、セットした際のタコベイトの変形を最小限にととどめ、使用時にフック部分からタコベイトがズレないように突起を設けた、タコベイトのヘッド部分に挿入して使用する、タコベイト装着補助部品の提供。【選択図】図１
2017163963.tif 000002
【特許請求の範囲】
【請求項１】
遊動式鯛ラバのフック部にタコベイトを装着する為の補助部品において、装着したタコベイトがズレることを防止するための突起を設けた円錐形状の糸通し用のガイドを、タコベイトのヘッド部分に挿入することで、取り付け専用の道具を使わなくてもタコベイトの装着が出来るようにした、タコベイトを装着するための補助部品。
【請求項２】
疑似餌としてのタコベイトの性能に悪影響を与えないよう、装着時のタコベイトの変形を少なく抑える為の、タコベイトを装着する為の補助部品。
【発明の詳細な説明】
【技術分野】
【０００１】  この発明は、主に遊動式タイラバのフック部（釣り針と釣り針を結んだハリス部）へ装着する釣用疑似餌（以下タコベイト）の装着を簡単にし、また、タコベイトが持つ疑似餌としての性能に影響しないよう装着時のタコベイトの変形を最小限に留めるよう設計された、補助部品の形状に関する。
【背景技術】
【０００２】  遊動式タイラバのフック部にタコベイトを装着するとき、タコベイトのヘッド部分にフック部のハリスを貫通させる必要があり、この作業をスムーズにおこなうためには専用の道具を使用するのが一般的である。【０００３】  また、補助部品の形状は、装着された際のタコベイトの変形を最小限に止め、タコベイトの疑似餌としてもつ性能に悪影響を与えないようにする必要がある。
【先行技術文献】
【特許文献】
【０００４】
【特許文献１】不明
【非特許文献】
【０００５】
【非特許文献１】なし
【発明の概要】
【発明が解決しようとする課題】
【０００６】  本案は、タコベイトをフック部に装着する際、専用の道具を準備することなく、タコベイトの疑似餌としての性能を保ちながらこれの装着を容易にすることで、釣りの状況に合わせた、仕掛け作りを迅速におこない釣果の向上に繋げるためのものである。
【課題を解決するための手段】
【０００７】  本方式では、タコベイトのヘッド部分に、糸を貫通させる際のガイドとなる樹脂製の装着補助部品を挿入し、その部品に開けられた穴の形状にしたがって、ヘッド部の糸を送り込むことで、特別な道具を使用しなくてもタコベイトの装着が簡単に出来るようにした。【０００８】  また、補助部品をタコベイト内部に収まる円錐形にすることで、装着時のタコベイトの変形を最小限に抑えた。
【発明の効果】
【０００９】  本発明によれば、タコベイトのヘッド部分に装着補助部品を挿入し、その下方からフック部の糸を通すことで装着が完了する。装着補助部品に開けられた穴は、下部を大きく、上部を小さくすることで、糸の通しやすさと、装着したタコベイトが変形しにくいよう考慮している。また補助部品の外部にはセットしたタコベイトがズレにくくなるよう、ズレ止めの為の突起を設けている。【００１０】  装着補助部品はタコベイトヘッド部分の足の付け根部分から挿入し、頭先端部分に開けられた穴に貫通させて装着する。
【図面の簡単な説明】
【００１１】
【図１】この発明の一実施形態を示す図である。
【図２】接続部品の形状を示す図面である。
【発明を実施するための形態】
【００１２】  この発明の一実施形態を、図１に示す。
【００１３】  装着補助部品はその多くの部分がタコベイトのベッド部分に収納される大きさに設計しており、仕掛全体がコンパクトになるように考慮している。
【００１４】「実施形態の効果」
この実施形態によれば、タコベイトに挿入された装着補助部品の形状により、フック部への装着が簡単に出来るようになり、装着した状態でもタコベイトが本来有する疑似餌としての性能を発揮させるよう、タコベイトの形状変化を抑えたうえで、タコベイトが装着箇所からズレるトラブルを減らすことが出来る。
【符号の説明】
【００１５】１：フック部（釣り針と釣り針を結んだハリス部分）  ２：補助部品  ３：タコベイト  ４：補助部品後部  ５：補助部品先端部  ６：タコベイトヘッド部  ７：フック部先端（ハリス折り返し部）
【図１】
2017163963.tif 000003
【図２】
2017163963.tif 000004
(57)【要約】      （修正有）【課題】補聴器などにおいて、低電圧低消費電力で使用可能なＰＷＭ作成回路を提供する。【解決手段】エミッタが接地され、コレクタが抵抗８を介して第一の電源に接続されたトランジスタ５を二組備える。一方のトランジスタのベースを、他方のトランジスタのコレクタに容量を介して接続し、他方のトランジスタのベースを、一方のトランジスタのコレクタに容量を介して接続して、非安定ＦＦ回路を構成する。それぞれのトランジスタのベースと第一の電源の間に、ＰＷＭ変調信号電圧源１０と抵抗９を直列に接続する。【選択図】図６
2017163517.tif 000002
【特許請求の範囲】
【請求項１】
非安定ＦＦ（フリップフロップ）回路のバイアス電圧を片方のみ信号電圧で可変してＰＷＭ（パルス幅変調）作用をするようにした変調器の構成
【請求項２】
のこる他方のバイアス電圧を信号電圧の相補電圧で可変して双方同時に変化させてＰＷＭ（パルス幅変調）作用をするようにした変調器の構成
【発明の詳細な説明】
【技術分野】
【０００１】この発明は主としてオーディオ分野で使用されるＤ級増幅器に用いられるＰＷＭ（パルス幅変調）変調回路の改良にかかる。
【背景技術】
【０００２】ＰＷＭ波形は図１に示すようなパルス幅を信号で変化させるものである。
従来よりＰＷＭ変調回路は図２のような構成で成立している。図において三角波源１と入力３よりの信号とを混合して比較器（コンパレータ）２で比較して二値化して作成する。この回路、機能は公知であるので説明は省く。
【発明の開示】
【発明が解決しようとする課題】
【０００３】このような構成回路はＩＣあるいは個別半導体素子で作られるが周波数がやや高いことから電源電圧がやや高く消費電流もやや多いものしか得られない。
一般のオーディオ機器ではこれで十分であるが補聴器など小型機器で微小電池たとえば１．４Ｖ数ｍＡでの使用が条件になるような用途には使用が不可能であった。
【課題を解決するための手段】
【０００４】従来構成のＰＷＭ回路では最低でも５Ｖの電源電圧と数ｍＡの消費が必要であったが新回路によって０．５Ｖ０．１ｍＡの電源条件で作動が出来るようになった。【０００５】図３は従来の非安定ＦＦ（フリップフロップ）回路である。２ヶのトランジスタ５，６がお互いに交流結合しているので方形波の発振器となっている。これは公知の回路である。この回路で発振周波数を決めるものはコンデンサ７、バイアス抵抗９の積とそこへの印加電圧（バイアス電圧）である。この回路でバイアス抵抗９の印加電圧（バイアス電圧）を変化させると発振周波数はそれに比例して変化する。
したがってこの回路はＦＭ変調回路になっている。従来この回路の対のバイアス抵抗９は同一値でバイアス電圧も共通なのが通例である。
本発明ではこのバイアス電圧に非対称をつくりＰＷＭ変調が出来るようにするものである。図４は一方のバイアス電圧に信号１０を加えるものでこのとき発振波形は図５のように立ち上がりあるいは立下りの一方のみが変化する。したがって幅変化のみならず周波数も変化する。図６は他方のバイアス電圧にも信号１１を加える。このとき加える信号は一方の信号１０の相補（逆位相）信号とする。これによって発振波形は図７のように立ち上がり立下りともに変化し、一周期では打ち消されて不変となるのでＦＭが加わることがなく、幅変調振幅が２倍になる。
【発明の効果】
【０００６】簡易な構成でＰＷＭ信号がえられるので回路構成が非常に簡単になる。
またトランジスタのみの構成であるから電源電圧の要件が０．５Ｖまで低下でき、必要消費電流は０．１ｍＡ以下にすることが容易となる。これは小型補聴器にとって不可欠の要件である。
【発明を実施するための最良の形態】
【０００７】この同一原理による別種の構成を図８、図９に示す。
図８は図６のトランジスタ５，６の代わりに論理素子ＮＯＴ１２，１３を使用するものでありその作動原理は図６とまったく同一である。また図９は論理素子ＤＥＲＡＹ（遅延）１４，１５を使用するものでありこれも動作原理はまったく図６と同一である。
補聴器は電源効率を上げることが重要であり、電力増幅にＤアンプを使用するのが最適と知られていたが従来ＰＷＭ化の部分に無駄な素子を必要とし、さらに必要電源条件が電池条件に適合しなかったためＤアンプが使用できなかった。この構成がその問題点を除去する。
【図面の簡単な説明】
【０００８】
【図１】ＰＷＭの波形
【図２】従来のＰＷＭの構成
【図３】従来の非安定ＦＦ（フリップフロップ）回路
【図４】ＰＷＭ変調回路
【図５】その波形
【図６】第２のＰＷＭ変調回路
【図７】その波形
【図８】別種のＰＷＭ変調回路
【図９】別種のＰＷＭ変調回路
【符号の説明】
【０００９】１  三角波源  ２  比較器（コンパレータ）  ３  入力  ４  出力  ５、６  トランジスタ  ７，コンデンサ  ８  出力抵抗  ９  バイアス抵抗  １０，１１  信号  １２，１３  論理素子ＮＯＴ  １４，１５  論理素子ＤＥＲＡＹ（遅延）
【図１】
2017163517.tif 000003
【図２】
2017163517.tif 000004
【図３】
2017163517.tif 000005
【図４】
2017163517.tif 000006
【図５】
2017163517.tif 000007
【図６】
2017163517.tif 000008
【図７】
2017163517.tif 000009
【図８】
2017163517.tif 000010
【図９】
2017163517.tif 000011
(57)【要約】      （修正有）【課題】非常に効率のよい増幅器を提供する。【解決手段】トランジスタ１のコレクタに負荷２を通して電源３が接続され、エミッタは接地され、ベースは信号６と抵抗４を介して電源５に接続されるトランジスタ増幅回路に、抵抗７を介したレベル信号発生器８を付加することにより、Ａ級増幅器の動作電流を信号レベルに対応して変化させる。【選択図】図４
2017163513.tif 000002
【特許請求の範囲】
【請求項１】
Ａ級作動トランジスタの動作電流を入力信号のレベルに応じて変化させ、消費電流を削減することを特徴とする増幅回路の構成
【発明の詳細な説明】
【技術分野】
【０００１】補聴器など微小電力で作動させねばならない電子機器の電力増幅回路に使用される構成を提供する。
【背景技術】
【０００２】  低電圧電源で低消費電流が要求される機器は補聴器や携帯電話器など各種存在する。特に小型補聴器では電池電圧１Ｖで消費電流極小たとえば０．１ｍＡ程度の作動が望まれている。
一方出力には歪が禁じられるのでその実現は容易ではない。もっとも実用的で簡易な構成はＡ級動作の増幅器である。
補聴器ではイヤホンコイルを負荷とするのでＡ級増幅器を用いると最大出力電圧は電源電圧の２倍が得られるからである。
【発明の開示】
【発明が解決しようとする課題】
【０００３】しかし反面Ａ級増幅器の欠点は常時動作電流が必要とされそれが一般には数ｍＡでありこれが補聴器の消費電流の大部分になっている。
【課題を解決するための手段】
【０００４】最大出力が得られるような動作電流を小入力のときも流し続ける必要はないのであるから入力信号の振幅にあわせて動作電流を変化させ平均電流を減少させるのが本発明の根幹である。
図１はトランジスタ増幅器の入力出力特性である。縦軸は出力電流Ｉｃ、横軸は入力電流Ｉｂである。図に示すように０付近で特性は湾曲しているからここを避けて使用する。
歪のない最大出力をえるためには動作点はかなり右方に置かなければならない。これがいかなるときでも保たれているのが従来のＡ級増幅器である。
したがって入力が小さいときでもこの電流が流れていて無駄電力となっている。
【発明の効果】
【０００５】入力信号のレベルに対応した動作電流を流すようにすれば入力が小さい時は消費電流を小さくすることが出来る。
補聴器などの機器では信号は外来音であるから常に最大入力が入っているわけではなく長時間の平均入力レベルはかなり小さい。
したがってこのような構成を取ればトランジスタの平均電流はかなり小さくなり補聴器の消費電力も激減する。
【発明を実施するための最良の形態】
【０００６】図２は従来のトランジスタ増幅回路である。
トランジスタ１のコレクタに負荷２を通して電源３が接続される。エミッタは接地である。ベースは信号６と抵抗４を介して電源５に接続される。制御電流（バイアス電流）は抵抗４を介して常時電源５から一定量がベースに供給される。
図３は本発明の実施時の作動を示す。大振幅信号と小振幅信号が入ったときの状況を重ねて示している。
大振幅信号に対しては制御電流を大きくして歪を減らし、小振幅信号では制御電流を減らして消費電力を削減する。
なお本発明では動作電流とはトランジスタのコレクタ電流、制御電流とはベース電流を意味させている。
この作動を行うため図４の構成を用いる。
図４の構成は図２の構成に抵抗７を介したレベル信号を付加したものである。
図５はレベル信号発生器８の構成、図６はその波形を表す。
図において抵抗１２，１３コンデンサ１１オペアンプ９ダイオード１０、入力信号波形１４レベル信号波形１５である。
レベル信号波形は信号波形を検波平滑したものである。
この構成によって入力信号が小さいときは制御電流が減少し、大振幅信号が入ったときのみ制御電流が増大するので平均消費電力の削減に寄与することができさらに常時出力歪も増大しない増幅回路を提供することが出来る。
【図面の簡単な説明】
【０００７】
【図１】従来のトランジスタ増幅器の入力出力特性
【図２】従来のトランジスタ増幅回路
【図３】大振幅信号と小振幅信号が入ったときの本発明回路の作動。
【図４】本発明のトランジスタ増幅回路
【図５】レベル信号発生器の構成
【図６】レベル信号の波形
【符号の説明】
【０００９】１  トランジスタ  ２  負荷  ３  電源  ４，７，１２，１３  抵抗  ５  電源  ６  信号  ８  レベル信号発生器  ９  オペアンプ  １０  ダイオード  １１  コンデンサ
【図１】
2017163513.tif 000003
【図２】
2017163513.tif 000004
【図３】
2017163513.tif 000005
【図４】
2017163513.tif 000006
【図５】
2017163513.tif 000007
【図６】
2017163513.tif 000008